(57)【要約】      （修正有）【課題】骨壺に位牌収納部を設けて位牌を収めることで骨壺と位牌を一体として小型化することを可能とし、かつ地震等の衝撃に対して強い耐久性を持ちながらも荘厳性に富んだ骨壺を提供する。【解決手段】上部に蓋装飾２ｂを有する蓋２と、前面には位牌６を収めることのできる位牌押さえ材４ａ及び受けを備える位牌収納部４を設けるとともに底部には位牌台座を収納する台座収納部を設け、背面には釈迦像を描いた本体３と、台座５とからなり、前記本体３の上部には前記蓋２を取り付けるとともに前記本体３の底部には前記台座５を取り付けることを特徴とする骨壺１の構成とし、また、本考案の骨壺１の素材はステンレス製とし、本体３の背面には釈迦像を描いたことを特徴とする骨壺の構成とした。【選択図】図１
0003133129.tif 000002
【実用新案登録請求の範囲】
【請求項１】
上部に蓋装飾を有する蓋と、前面には位牌を収めるとのできる位牌押さえ材及び受けを備える位牌収納部を設けるとともに底部には位牌台座を収納する台座収納部を設け、背面には釈迦像を描いた本体と、台座とからなり、前記本体の上部には前記蓋を取り付けるとともに前記本体の底部には前記台座を取り付けることを特徴とする骨壺。
【請求項２】
受け及び位牌押さえ材を備え位牌６を収納する位牌収納部を本体の外周壁に突設したことを特徴とする請求項１に記載の骨壺。
【請求項３】
湾曲させ位牌を位牌収納部に収納したことを特徴とする請求項２に記載の骨壺。
【請求項４】
骨壺をステンレス製としたことを特徴とする請求項１乃至請求項３に記載の骨壺。
【考案の詳細な説明】
【技術分野】
【０００１】
本考案は、遺骨を収納して保管するための骨壺であって、戒名等を記した位牌と一体として納骨堂等に安置することが可能な骨壺に関するものである。
【背景技術】
【０００２】
従来、遺骨を収める骨壺は陶磁器製で墓地に埋葬されることが通常であるが、最近では墓地不足や経済的理由により寺院の納骨堂等に保管したり、骨壺を位牌と共に自宅の仏壇に安置している場合も多くみられる。
【０００３】
また、特許文献１に記載の通り、自宅の仏壇等に安置でき、移動や携帯に便利で、製造コストの安価な納骨用位牌として、内部に遺骨を収める骨壺を収納するための収納部を有する本体と、該本体の上部に立設された位牌部とからなることを特徴とした納骨用位牌が提案されている。
【０００４】
しかしながら、特許文献１の納骨用位牌は、骨壺の収納できる大きさの本体の上部に位牌が立設されているため、小型とはいえある程度の高さのある安置場所が必要となる上に、石材あるいは木製であるために地震等の天災や火事等による衝撃を受けた場合の耐久性に不安がある。
【特許文献１】特開２００４−１８７７６５号
【考案の開示】
【考案が解決しようとする課題】
【０００５】
そこで、本考案は、骨壺の前面に位牌収納部を設けて位牌を収めることで骨壺と位牌を一体として小型化することを可能とし、かつ地震等の衝撃に対して強い耐久性を持った骨壺を提供することを目的とするものである。
【課題を解決するための手段】
【０００６】
本考案は、上記の課題を解決するために、上部に蓋装飾２ｂを有する蓋２と、前面には位牌６を収めるとのできる位牌押さえ材４ａ及び受け４ｃを備える位牌収納部４を設けるとともに底部には位牌台座６ａを収納する台座収納部７を設け、背面には釈迦像を描いた本体３と、台座５とからなり、前記本体３の上部には前記蓋２を取り付けるとともに前記本体３の底部には前記台座５を取り付けることを特徴とする骨壺１の構成とした。
【０００７】
また、本考案の骨壺１の素材はステンレス製とし、本体３の背面には釈迦像を描いたことを特徴とする骨壺の構成とした。
【考案の効果】
【０００８】
本考案は、遺骨を収納する収納部を有する本体の前面に設けた位牌収納部に位牌を収納することで、骨壺と位牌が一体となり、小型化が可能で骨壺を自宅や納骨堂に安置する際に便利である。
【０００９】
また、本考案の骨壺はステンレス製であるために耐久性に優れており、かつ本体に収納した位牌が装飾の一部になると共に背面に釈迦像を描くことで、ステンレス製特有の無機質な印象を排除し、耐久性がありながらも荘厳性に富んだ骨壺とすることができる。
【考案を実施するための最良の形態】
【００１０】
本考案である骨壺は、蓋、遺骨を収納するための収納部を有する本体、台座から構成され、前記本体の前面に位牌を収納するための位牌収納部となる縦長の窪みを設け、また前記本体の底部には位牌台座を嵌め込んで収納するための台座収納部を設け、本体の上部には本体及び蓋に設けたねじ山を螺合させて蓋を閉じ、本体の底部には本体及び台座に設けたねじ山を螺合させることで台座が本体を保持することを特徴とした骨壺である。
【実施例１】
【００１１】
図１は本考案である骨壺の斜視図、図２は骨壺の正面図、図３は骨壺の平面図、図４は骨壺の分解斜視図、図５は骨壺に位牌を収める状態の分解斜視図、図６は図４中に示したＡ−Ａ’断面図である。
【００１２】
図１から図３に示すように、本考案である骨壺１は、蓋２、本体３、台座５で構成され、前記本体３の上部に蓋２を螺合し、前記本体３の下部には台座５が螺合されて蓋２、本体３、台座５が一体となっている。
【００１３】
骨壺１を構成する蓋２は、蓋本体２ａがお椀型に形成され、頂部には六角形の装飾部材２ｂが取り付けられている。また、蓋本体２ａの内面にはねじ山が設けられており、前記ねじ山と本体３の上方に設けられたねじ山８とを螺合させることで、本体３内に収納した遺骨がこぼれたり、湿気が収納部３ａにこもることなくしっかりと閉めることが可能となる。
【００１４】
骨壺１を構成する本体３は円柱状に形成され、遺骨を収納するための収納部３ａを有する部材である。本体３の前面に設けられた位牌収納部４を中心とした左右側面の上方には、骨壺１を持ち上げる際に手の指を入れる断面形状が半円形状の窪み３ｂが形成されている。
【００１５】
本体３の前面中央には縦方向に窪みが形成されており、前記窪みとは位牌６を収納するための位牌収納部４である。位牌収納部４の窪みは、位牌６の厚みに相当する深さの窪みであり、位牌６は位牌収納部４にしっかりと収めることができるる。
【００１６】
前記位牌収納部４のほぼ中央の位置には位牌６を押さえるためのベルト様の位牌押さえ４ａが取り付けられており、位牌収納部４の底面は略長方形状の位牌収納基台４ｂで前記位牌収納基台４ｂの収納部３ａの外周に沿った辺からは位牌６を収めるための受け４ｃが立設されている。
【００１７】
図６に示すように、本体３の内部３ｃは中空となっており、遺骨を収納する。また内部３ｃの下部、すなわち本体３の底部には、位牌台座６ａを嵌め込み、収納するための台座収納部７が位牌台座６ａと同様の形状で設けられている。
【００１８】
骨壺１を構成する台座５は、本体３の底部に設けた台座収納部７に収納した位牌台座６ａが落ちないように覆うためと、骨壺１本体を補強するために本体３を保持する部材である。
【００１９】
台座本体５ａの上部５ｂには円柱状の本体３の径と同じ大きさの円形の骨壺本体収納部５ｃが設けられ、その内周壁となる台座枠体５ｄの上方にはねじ山５ｅが設けられている。前記ねじ山５ｅと本体３の下方に設けられたねじ山８ａを螺合させ、本体３と台座５を一体とし、台座５が本体３を保持する。
【００２０】
本考案である骨壺１を構成する本体３の背面、すなわち位牌収納部４と対角となる面には釈迦像が描かれている。また、位牌収納部４に収納された位牌６の表面には戒名等が記されているので、前記位牌６と背面に描かれた釈迦像とが骨壺１の表面に描かれた装飾のように現れることで、ステンレスの持つ無機質で冷たい印象を排除し、骨壺として相応しい荘厳な印象を与えることができる。
【実施例２】
【００２１】
図７、図８及び図９は、本考案である骨壺の他の実施例を示した図である。図７は他の実施例の骨壺の分解斜視図、図８は骨壺の斜視図、図９は図７中に示したＢ−Ｂ’断面図である。
【００２２】
図７から図９に示すように、本考案である骨壺９は、蓋本体１０ａと蓋本体１０ａの上部に取り付けられた蓋装飾１０ｂからなる蓋１０、本体１１、台座１４とで構成され、前記本体１１の上部に蓋１０を螺合し、前記本体３の下部には台座５が螺合されている。
【００２３】
符号１１ａは収納部であり、符号１１ｂは骨壺９を持ち上げる時に指を当てる窪みである。符号１１ｃは、骨を収納する内部である。符号１２は蓋１０を本体１１に螺合させて取り付けるためのねじ山であり、符号１２ａは台座１４を本体１１の下部に螺合させて取り付けるためのねじ山である。
【００２４】
符号１４ａは台座本体を示し、符号１４ｂは台座本体１４ａの上部を示し、符号１４ｃは本体１１の下部を収納する骨壺本体収納部である。符号１４ｄは本体１１に台座１４を螺合させて取り付けるためのねじ山である。符号１５ａは位牌台座である。
【００２５】
骨壺９を構成する本体１２の前面には円柱状の本体１２の外周壁に台座収納部１３が設けられている。前記台座収納部１３は本体１２の外周壁に突設した略長方形状の位牌収納基台１３ａと前記位牌収納基台１３ａの上方に取り付けられたベルト様の位牌押さえ１３ｂとで構成されている。
【００２６】
また、本実施例で使用する位牌１５はやや湾曲した形状に形成されているため、図９のＢ−Ｂ’断面図に示すように、位牌収納部１３に位牌１５を収納する際に、本体１１の外周に位牌１５が密着するように収納できる。
【図面の簡単な説明】
【００２７】
【図１】骨壺の斜視図である。
【図２】骨壺の正面図である。
【図３】骨壺の平面図である。
【図４】骨壺の分解斜視図である。
【図５】骨壺に位牌を収めた状態の分解斜視図である。
【図６】骨壺のＡ−Ａ’断面図である。
【図７】他の実施例の骨壺の分解斜視図である。
【図８】他の実施例の骨壺の斜視図である。
【図９】他の実施例のＢ−Ｂ’断面図である。
【符号の説明】
【００２８】
１            骨壺
２            蓋
２ａ          蓋本体
２ｂ          蓋装飾
３            本体
３ａ          収納部
３ｂ          窪み
３ｃ          内部
４            位牌収納部
４ａ          位牌押さえ材
４ｂ          位牌収納基台
４ｃ          受け
５            台座
５ａ          台座本体
５ｂ          上部
５ｃ          骨壺本体収納部
５ｄ          台座枠体
５ｅ          ねじ山
６            位牌
６ａ          位牌台座
７            台座収納部
８            ねじ山
８ａ          ねじ山
９            骨壺
１０            蓋
１０ａ          蓋本体
１０ｂ          蓋装飾
１１            本体
１１ａ          収納部
１１ｂ          窪み
１１ｃ          内部
１２            ねじ山
１２ａ          ねじ山
１３            位牌収納部
１３ａ          受け
１３ｂ          位牌押さえ材
１４            台座
１４ａ          台座本体
１４ｂ          上部
１４ｃ          骨壺本体収納部
１４ｄ          ねじ山
１５            位牌
１５ａ          位牌台座
【図１】
0003133129.tif 000003
【図２】
0003133129.tif 000004
【図３】
0003133129.tif 000005
【図４】
0003133129.tif 000006
【図５】
0003133129.tif 000007
【図６】
0003133129.tif 000008
【図７】
0003133129.tif 000009
【図８】
0003133129.tif 000010
【図９】
0003133129.tif 000011
【手続補正書】
【提出日】平成19年2月9日(2007.2.9)
【手続補正１】
【補正対象書類名】図面
【補正対象項目名】図４
【補正方法】変更
【補正の内容】
【図４】
0003133129.tif 000012
【手続補正書】
【提出日】平成19年4月13日(2007.4.13)
【手続補正１】
【補正対象書類名】実用新案登録請求の範囲
【補正対象項目名】全文
【補正方法】変更
【補正の内容】
【実用新案登録請求の範囲】
【請求項１】
上部に蓋装飾を有する蓋と、前面には位牌を収めることのできる位牌押さえ材及び受けを備える位牌収納部を設けるとともに底部には位牌台座を収納する台座収納部を設け、背面には釈迦像を描き、遺骨を内部に収納し、前記蓋と上部で螺合する本体と、前記本体の下部と螺合する台座とからなることを特徴とする骨壺。
【請求項２】
受け及び位牌押さえ材を備え位牌を収納する位牌収納部を本体の外周壁に突設したことを特徴とする請求項１に記載の骨壺。
【請求項３】
前記本体の外周に密着する湾曲した位牌を前記位牌収納部に収納したことを特徴とする請求項２に記載の骨壺。
【請求項４】
骨壺をステンレス製としたことを特徴とする請求項１乃至請求項３に記載の骨壺。
【手続補正２】
【補正対象書類名】明細書
【補正対象項目名】全文
【補正方法】変更
【補正の内容】
【考案の詳細な説明】
【技術分野】
【０００１】
本考案は、遺骨を収納して保管するための骨壺であって、戒名等を記した位牌と一体として納骨堂等に安置することが可能な骨壺に関するものである。
【背景技術】
【０００２】
従来、遺骨を収める骨壺は陶磁器製で墓地に埋葬されることが通常であるが、最近では墓地不足や経済的理由により寺院の納骨堂等に保管したり、骨壺を位牌と共に自宅の仏壇に安置している場合も多くみられる。
【０００３】
また、特許文献１に記載の通り、自宅の仏壇等に安置でき、移動や携帯に便利で、製造コストの安価な納骨用位牌として、内部に遺骨を収める骨壺を収納するための収納部を有する本体と、該本体の上部に立設された位牌部とからなることを特徴とした納骨用位牌が提案されている。
【０００４】
しかしながら、特許文献１の納骨用位牌は、骨壺の収納できる大きさの本体の上部に位牌が立設されているため、小型とはいえある程度の高さのある安置場所が必要となる上に、石材あるいは木製であるために地震等の天災や火事等による衝撃を受けた場合の耐久性に不安がある。
【特許文献１】特開２００４−１８７７６５号
【考案の開示】
【考案が解決しようとする課題】
【０００５】
そこで、本考案は、骨壺の前面に位牌収納部を設けて位牌を収めることで骨壺と位牌を一体として小型化することを可能とし、かつ地震等の衝撃に対して強い耐久性を持った骨壺を提供することを目的とするものである。
【課題を解決するための手段】
【０００６】
本考案は、上記の課題を解決するために、上部に蓋装飾２ｂを有する蓋２と、前面には位牌６を収めることのできる位牌押さえ材４ａ及び受け４ｃを備える位牌収納部４を設けるとともに底部には位牌台座６ａを収納する台座収納部７を設け、背面には釈迦像を描いた本体３と、台座５とからなり、前記本体３の上部には前記蓋２を取り付けるとともに前記本体３の底部には前記台座５を取り付けることを特徴とする骨壺１の構成とした。
【０００７】
また、本考案の骨壺１の素材はステンレス製とし、本体３の背面には釈迦像を描いたことを特徴とする骨壺の構成とした。
【考案の効果】
【０００８】
本考案は、遺骨を収納する収納部を有する本体の前面に設けた位牌収納部に位牌を収納することで、骨壺と位牌が一体となり、小型化が可能で骨壺を自宅や納骨堂に安置する際に便利である。
【０００９】
また、本考案の骨壺はステンレス製であるために耐久性に優れており、かつ本体に収納した位牌が装飾の一部になると共に背面に釈迦像を描くことで、ステンレス製特有の無機質な印象を排除し、耐久性がありながらも荘厳性に富んだ骨壺とすることができる。
【考案を実施するための最良の形態】
【００１０】
本考案である骨壺は、蓋、遺骨を収納するための収納部を有する本体、台座から構成され、前記本体の前面に位牌を収納するための位牌収納部となる縦長の窪みを設け、また前記本体の底部には位牌台座を嵌め込んで収納するための台座収納部を設け、本体の上部には本体及び蓋に設けたねじ山を螺合させて蓋を閉じ、本体の底部には本体及び台座に設けたねじ山を螺合させることで台座が本体を保持することを特徴とした骨壺である。
【実施例１】
【００１１】
図１は本考案である骨壺の斜視図、図２は骨壺の正面図、図３は骨壺の平面図、図４は骨壺の分解斜視図、図５は骨壺に位牌を収める状態の分解斜視図、図６は図４中に示したＡ−Ａ’断面図である。
【００１２】
図１から図３に示すように、本考案である骨壺１は、蓋２、本体３、台座５で構成され、前記本体３の上部に蓋２を螺合し、前記本体３の下部には台座５が螺合されて蓋２、本体３、台座５が一体となっている。
【００１３】
骨壺１を構成する蓋２は、蓋本体２ａがお椀型に形成され、頂部には六角形の蓋装飾２ｂが取り付けられている。また、蓋本体２ａの内面にはねじ山が設けられており、前記ねじ山と本体３の上方に設けられたねじ山８とを螺合させることで、本体３内に収納した遺骨がこぼれたり、湿気が収納部３ａにこもることなくしっかりと閉めることが可能となる。
【００１４】
骨壺１を構成する本体３は円柱状に形成され、遺骨を収納するための収納部３ａを有する部材である。本体３の前面に設けられた位牌収納部４を中心とした左右側面の上方には、骨壺１を持ち上げる際に手の指を入れる断面形状が半円形状の窪み３ｂが形成されている。
【００１５】
本体３の前面中央には縦方向に窪みが形成されており、前記窪みとは位牌６を収納するための位牌収納部４である。位牌収納部４の窪みは、位牌６の厚みに相当する深さの窪みであり、位牌６は位牌収納部４にしっかりと収めることができる。
【００１６】
前記位牌収納部４のほぼ中央の位置には位牌６を押さえるためのベルト様の位牌押さえ材４ａが取り付けられており、位牌収納部４の底面は略長方形状の位牌収納基台４ｂで前記位牌収納基台４ｂの収納部３ａの外周に沿った辺からは位牌６を収めるための受け４ｃが立設されている。
【００１７】
図６に示すように、本体３の内部３ｃは中空となっており、遺骨を収納する。また内部３ｃの下部、すなわち本体３の底部には、位牌台座６ａを嵌め込み、収納するための台座収納部７が位牌台座６ａと同様の形状で設けられている。
【００１８】
骨壺１を構成する台座５は、本体３の底部に設けた台座収納部７に収納した位牌台座６ａが落ちないように覆うためと、骨壺１本体を補強するために本体３を保持する部材である。
【００１９】
台座本体５ａの上部５ｂには円柱状の本体３の径と同じ大きさの円形の骨壺本体収納部５ｃが設けられ、その内周壁となる台座枠体５ｄの上方にはねじ山５ｅが設けられている。前記ねじ山５ｅと本体３の下方に設けられたねじ山８ａを螺合させ、本体３と台座５を一体とし、台座５が本体３を保持する。
【００２０】
本考案である骨壺１を構成する本体３の背面、すなわち位牌収納部４と対角となる面には釈迦像が描かれている。また、位牌収納部４に収納された位牌６の表面には戒名等が記されているので、前記位牌６と背面に描かれた釈迦像とが骨壺１の表面に描かれた装飾のように現れることで、ステンレスの持つ無機質で冷たい印象を排除し、骨壺として相応しい荘厳な印象を与えることができる。
【実施例２】
【００２１】
図７、図８及び図９は、本考案である骨壺の他の実施例を示した図である。図７は他の実施例の骨壺の分解斜視図、図８は骨壺の斜視図、図９は図７中に示したＢ−Ｂ’断面図である。
【００２２】
図７から図９に示すように、本考案である骨壺９は、蓋本体１０ａと蓋本体１０ａの上部に取り付けられた蓋装飾１０ｂからなる蓋１０、本体１１、台座１４とで構成され、前記本体１１の上部に蓋１０を螺合し、前記本体３の下部には台座５が螺合されている。
【００２３】
符号１１ａは収納部であり、符号１１ｂは骨壺９を持ち上げる時に指を当てる窪みである。符号１１ｃは、骨を収納する内部である。符号１２は蓋１０を本体１１に螺合させて取り付けるためのねじ山であり、符号１２ａは台座１４を本体１１の下部に螺合させて取り付けるためのねじ山である。
【００２４】
符号１４ａは台座本体を示し、符号１４ｂは台座本体１４ａの上部を示し、符号１４ｃは本体１１の下部を収納する骨壺本体収納部である。符号１４ｄは本体１１に台座１４を螺合させて取り付けるためのねじ山である。符号１５ａは位牌台座である。
【００２５】
骨壺９を構成する本体１２の前面には円柱状の本体１２の外周壁に位牌収納部１３が設けられている。前記位牌収納部１３は本体１２の外周壁に突設した略長方形状の位牌収納基台である受け１３ａと前記受け１３ａの上方に取り付けられたベルト様の位牌押さえ材１３ｂとで構成されている。
【００２６】
また、本実施例で使用する位牌１５はやや湾曲した形状に形成されているため、図９のＢ−Ｂ’断面図に示すように、位牌収納部１３に位牌１５を収納する際に、本体１１の外周に位牌１５が密着するように収納できる。
【図面の簡単な説明】
【００２７】
【図１】骨壺の斜視図である。
【図２】骨壺の正面図である。
【図３】骨壺の平面図である。
【図４】骨壺の分解斜視図である。
【図５】骨壺に位牌を収めた状態の分解斜視図である。
【図６】骨壺のＡ−Ａ’断面図である。
【図７】他の実施例の骨壺の分解斜視図である。
【図８】他の実施例の骨壺の斜視図である。
【図９】他の実施例のＢ−Ｂ’断面図である。
【符号の説明】
【００２８】
１            骨壺
２            蓋
２ａ          蓋本体
２ｂ          蓋装飾
３            本体
３ａ          収納部
３ｂ          窪み
３ｃ          内部
４            位牌収納部
４ａ          位牌押さえ材
４ｂ          位牌収納基台
４ｃ          受け
５            台座
５ａ          台座本体
５ｂ          上部
５ｃ          骨壺本体収納部
５ｄ          台座枠体
５ｅ          ねじ山
６            位牌
６ａ          位牌台座
７            台座収納部
８            ねじ山
８ａ          ねじ山
９            骨壺
１０            蓋
１０ａ          蓋本体
１０ｂ          蓋装飾
１１            本体
１１ａ          収納部
１１ｂ          窪み
１１ｃ          内部
１２            ねじ山
１２ａ          ねじ山
１３            位牌収納部
１３ａ          受け
１３ｂ          位牌押さえ材
１４            台座
１４ａ          台座本体
１４ｂ          上部
１４ｃ          骨壺本体収納部
１４ｄ          ねじ山
１５            位牌
１５ａ          位牌台座